(57)【特許請求の範囲】
【請求項１】
情報をセグメント形式で表示するセグメント表示部と、
前記セグメント表示部に表示可能な情報を記憶する記憶部と、
前記記憶部から読み出した情報が前記セグメント表示部の表示桁数を超える情報量を有する場合に、前記読み出した情報を複数に分割することにより分割情報を生成し、前記分割情報の分割数に応じた固有の分割番号を夫々付与するとともに、夫々の前記分割情報を前記分割番号に従って順番に切り替えて前記セグメント表示部に表示させる表示制御部と、を備え、
前記セグメント表示部は、前記記憶部から読み出した情報を分割した分割情報と、当該分割情報に付与された分割番号とを交互に切り替えて表示し、
前記表示制御部は、最初に前記分割情報を前記セグメント表示部に表示させ、所定時間の経過後に前記分割番号を表示させ、前記所定時間の経過前に操作検出信号が入力された場合には、前記分割情報を前記分割番号に従って順番に切り替えて表示させる、
ことを特徴とするセグメント表示装置。
【請求項２】
請求項１に記載のセグメント表示装置において、
前記表示制御部は、前記分割番号を表示させるとき、前記分割番号と記号とを組み合わせて表示させる
ことを特徴とするセグメント表示装置。
【請求項３】
請求項１または２に記載のセグメント表示装置において、
前記表示制御部は、前記分割番号を表示させるとき、前記分割番号の表示を点滅させる  ことを特徴とするセグメント表示装置。
【請求項４】
請求項１乃至３の何れか一項に記載のセグメント表示装置において、
前記表示制御部は、前記分割番号を、前記分割情報と異なる色で表示させる
ことを特徴とするセグメント表示装置。
【発明の詳細な説明】
【技術分野】
【０００１】
本発明は、セグメント表示装置に関する。
【背景技術】
【０００２】
従来から、プラントやビル等の施設における設備の監視・管理を行う制御機器では、コストや長期的な部品の安定供給の面から、液晶表示装置ではなく、複数のセグメントによって情報を表示するセグメント表示装置が用いられている。例えば、ビルオートメーション用のデータサーバ等では、動作ステータス（アプリケーションの起動・停止、オンライン・オフライン等）、エラーコード、および機器アドレス等の各種情報を、１つ以上のセグメント表示器を備えるセグメント表示装置によって表示している。
【０００３】
セグメント表示装置に関する従来技術としては、例えば特許文献１乃至３に開示されている。具体的に、特許文献１には、１つの７セグメント表示器における各セグメントの表示を動的に切り替えることにより、温水暖房装置の試運転の状況を表示する技術が開示されている。また、特許文献２には、複数の７セグメント表示器によって複数桁が表示可能なセグメント表示装置において、所定のパラメータを表示する場合に、最右桁の７セグメント表示器に上記パラメータの単位を表す記号を表示させる技術が開示されている。更に、特許文献３には、横に隣り合う複数の７セグメント表示器による表示の組み合わせによって、一つの文字または記号を表示する技術が開示されている。
【０００４】
ところで、セグメント表示装置は、一般に、コストやセグメント表示器を配置するスペースに制限があるため、表示桁数（セグメント表示器の数）が限られており、一度に多くの情報を表示することが困難である。そのため、情報量の多い一つの情報を表示するために、例えば、表示すべき情報を分割し、分割した夫々の情報を一定時間毎に切り替えて表示したり、分割した情報を一桁毎にスクロールさせて表示したりする必要があった。
【先行技術文献】
【特許文献】
【０００５】
【特許文献１】特開平１１−５１４５３号公報
【特許文献２】特開２００８−２３３６５７号公報
【特許文献３】特開２００７−２４０９１７号公報
【発明の概要】
【発明が解決しようとする課題】
【０００６】
しかしながら、セグメント表示装置において、上記のように表示すべき情報を分割し、分割した夫々の情報を一定時間毎に切り替えて表示する方法では、表示されている情報が分割された情報であるのか否かをユーザが判断するのは容易ではなく、ユーザにとって分かり難いという問題があった。
【０００７】
また、上記のように分割した情報をスクロールさせて表示する方法では、セグメント方式がドットマトリックス方式の表示装置に比べて動きが粗くスクロール感を出し難いため、ユーザが読み取り難いという問題があった。特に、同じ数字や文字が連続するデータ（例えば、“１１１１１１１”）を表示する場合、スクロールさせると数値を正しく読み取ることが難しかった。
【０００８】
本発明は、上記問題点を解消するためになされたものであり、セグメント表示装置において、一度に表示可能な桁数を超える情報量を有する情報を、ユーザに分かり易く提示できるようにすることを目的とする。
【課題を解決するための手段】
【０００９】
本発明に係るセグメント表示装置（１、５）は、情報をセグメント形式で表示するセグメント表示部（１０）と、前記セグメント表示部に表示可能な情報を記憶する記憶部（１３）とを備え、前記セグメント表示部は、前記記憶部から読み出した情報を分割した分割情報と、当該分割情報に付与された分割番号とを交互に切り替えて表示することを特徴とする。
【００１０】
上記セグメント表示装置は、前記記憶部から読み出した情報が前記セグメント表示部の表示桁数を超える情報量を有する場合に、前記読み出した情報を複数に分割することにより前記分割情報を生成し、前記分割情報に分割数に応じた固有の分割番号を夫々付与するとともに、夫々の前記分割情報を前記分割番号に従って順番に切り替えて前記セグメント表示部に表示させる表示制御部（１４）を、更に備えてもよい。
【００１１】
上記セグメント表示装置において、前記表示制御部は、第１操作入力信号が入力されたら、表示されている前記分割情報の次の前記分割番号に対応する前記分割情報を表示させてもよい。
【００１２】
上記セグメント表示装置において、前記表示制御部は、前記第１操作検出信号とは異なる第２操作入力信号が入力されたら、表示されている前記分割情報の一つ前の前記分割番号に対応する前記分割情報を表示させてもよい。
【００１３】
上記セグメント表示装置において、前記表示制御部は、前記分割情報と前記分割番号とを交互に前記セグメント表示部に表示させるとき、最初に前記分割情報を表示させ、次に前記分割番号を表示させてもよい。
【００１４】
上記セグメント表示装置において、前記表示制御部は、前記読み出した情報を前記セグメント表示部に表示させるとき、夫々の前記分割情報を、一定の時間間隔で、前記分割番号に従って順番に表示させてもよい。
【００１５】
上記セグメント表示装置において、前記表示制御部は、前記分割番号を表示させるとき、前記分割番号と記号とを組み合わせて表示させてもよい。
【００１６】
上記セグメント表示装置において、前記表示制御部は、前記分割番号を表示させるとき、前記分割番号の表示を点滅させてもよい。
【００１７】
上記セグメント表示装置において、前記表示制御部は、前記分割番号を、前記分割情報と異なる色で表示させてもよい。
【００１８】
なお、上記説明において括弧を付した参照符号は、図面において当該参照符号が付された構成要素の概念に含まれるものを例示するに過ぎない。
【発明の効果】
【００１９】
以上説明したことにより、本発明によれば、セグメント表示装置において、一度に表示可能な桁数を超える情報量を有する情報を、ユーザに分かり易く提示することができる。
【図面の簡単な説明】
【００２０】
【図１】図１は、本発明の一実施の形態に係るセグメント表示装置を備えたデータサーバを示す図である。
【図２】図２は、実施の形態１に係るセグメント表示装置の外観の一例を示す図である。
【図３】図３は、実施の形態１に係るセグメント表示装置の内部構成を例示する図である。
【図４Ａ】図４Ａは、セグメント表示装置の表示桁数を超える情報量を有する情報を分割する場合の例を示す図である。
【図４Ｂ】図４Ｂは、セグメント表示装置の表示桁数を超える情報量を有する情報を分割する場合の別の例を示す図である。
【図５】図５は、分割情報と分割番号とを含む表示情報の一例を示す図である。
【図６】図６は、実施の形態１に係るセグメント表示装置による分割情報の表示の切り替わり手順を説明するための図である。
【図７】図７は、実施の形態２に係るセグメント表示装置の外観の一例を示す図である。
【図８】図８は、実施の形態２に係るセグメント表示装置の内部構成を例示する図である。
【図９】図９は、実施の形態２に係るセグメント表示装置による分割情報の表示の切り替わり手順を説明するための図である。
【図１０】図１０は、分割情報の切り替え手法の別の一例を示す図である。
【発明を実施するための形態】
【００２１】
以下、本発明の実施の形態について図を参照して説明する。
【００２２】
≪実施の形態１≫
図１は、本発明の一実施の形態に係るセグメント表示装置１を備えたデータサーバを示す図である。
同図に示されるデータサーバ２は、例えばビルオートメーション用のサーバであり、ネットワーク４を介して、空調設備等を構成する機器やセンサ等を制御する複数の制御コントローラ３＿１〜３＿ｎ（ｎは２以上の整数。）と接続されている。具体的に、データサーバ２は、例えば制御コントローラ３＿１〜３＿ｎを介して、各制御コントローラ３＿１〜３＿ｎに接続されている機器やセンサ等を監視し、監視対象の各種情報を取得し、蓄積する。
【００２３】
データサーバ２は、セグメント装置１を備えており、自らの動作ステータス（例えばアプリケーションの起動・停止、オンライン・オフライン等）、エラーコード、および機器アドレス等の各種情報を、セグメント装置１によって表示することが可能になっている。また、例えば、制御コントローラ３＿１〜３＿ｎも同様に、セグメント装置１を備えており、セグメント装置１による各種の情報（自らの動作ステータス、エラーコード、および機器アドレス等）の表示が可能となっている。
【００２４】
図２に、本発明の一実施の形態に係るセグメント表示装置の外観の一例を示す。
同図に示されるセグメント表示装置１は、数値やアルファベット等の情報をセグメント方式で表示する表示領域１１を有するセグメント表示部１０と、外部からの操作を受け付ける操作入力部としての操作ボタン１２とを備えている。
【００２５】
セグメント表示装置１は、必要な情報をセグメント表示部１０に表示する。例えば、表示すべき情報の情報量が表示桁数よりも多い場合には、セグメント表示装置１は、表示すべき情報を分割し、ユーザによる操作ボタン１２の押下操作に応じて、分割した情報を順番に表示する。以下、セグメント表示装置１の具体的な構成について説明する。
【００２６】
図３は、実施の形態１に係るセグメント表示装置の内部構成を例示する図である。
図３に示されるように、セグメント表示装置１は、セグメント表示部１０、表示制御部１４、操作ボタン１２、および記憶部１３を有する。
【００２７】
操作ボタン１２は、ユーザによる押下操作を検出し、操作検出信号を出力する。
セグメント表示部１０は、複数のセグメントから成る表示領域１１を複数桁分有し、表示制御部１７から与えられた表示情報１５を複数の表示領域１１に表示させる。表示領域１１を構成する各セグメントは、例えば、ＬＥＤや蛍光表示管、液晶等から構成されている。
なお、本実施の形態では、セグメント表示部１０が３桁分の表示領域１１を有し、一つの表示領域１１が７つのセグメントから成る場合を一例として説明するが、セグメント表示部１０の表示桁数と表示領域１１のセグメント数に特に制限はない。
【００２８】
記憶部１３は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）およびフラッシュメモリ等のデータの書き換えが可能な不揮発性の記憶装置やＲＡＭ（Ｒａｎｄｏｍ  Ａｃｃｅｓｓ  Ｍｅｍｏｒｙ）等によって構成されている。記憶部１３には、例えば、セグメント表示部１０に表示可能な各種の情報や、表示制御部１４によって実行される制御プログラム等が記憶されている。
【００２９】
ここで、セグメント表示部１０に表示可能な各種の情報とは、例えば、上述した自らの動作ステータスの情報、エラーコードの情報、および機器アドレスの情報等である。
【００３０】
表示制御部１４は、記憶部１３に記憶されている情報を読み出し、セグメント表示部１０に与えることにより、情報を表示させる。具体的に、表示制御部１４は、記憶部１３から表示すべき情報を読み出す情報読出部１４１と、情報読出部１４１によって読み出された情報をセグメント表示部１０に表示させる情報表示処理部１４０とを有する。
【００３１】
具体的に、情報表示処理部１４０は、情報読出部１４１によって読み出された情報がセグメント表示部１０の表示桁数以下の情報量を有する場合には、読み出された情報をセグメント表示部１０にそのまま表示させる。例えば、データサーバ２の内部温度の情報“５２度”を表示する場合には、３つの表示領域１１を用いて“０５２”として、内部温度を３桁で表示する。
【００３２】
一方、情報表示処理部１４０は、情報読出部１４１によって読み出された情報がセグメント表示部１０の表示桁数を超える情報量を有する場合には、読み出された情報を複数に分割し、分割した情報を順番に切り替えてセグメント表示部１０に表示させる。以下、情報表示処理部１４０による情報の分割表示について詳細に説明する。
【００３３】
先ず、情報表示処理部１４０は、読み出された情報を複数に分割し、分割した分割情報１６に分割数に応じた固有の分割番号１７を夫々付与する。図４Ａ、４Ｂに、表示すべき情報の分割例を示す。
図４Ａには、セグメント表示部１０の表示桁数を超えるエラーコードの情報“０１００１００１０”をセグメント表示部１０に表示させる場合の分割例が示され、図４Ｂには、セグメント表示部１０の表示桁数を超えるＩＰアドレスの情報“１９２．１６８．１．１”をセグメント表示部１０に表示させる場合の例が示されている。
【００３４】
情報表示処理部１４０は、セグメント表示部１０の最大の表示桁数を基準として、表示すべき情報を複数に分割する。例えば、上記のようにセグメント表示装置１が３桁の表示桁数を有する場合には、図４Ａに示すように、表示すべき情報“０１００１００１０”を３桁ずつ区切って３つの分割情報を生成し、夫々の分割情報に固有の分割番号１〜３を付与する。
【００３５】
また、表示すべき情報が複数の情報の塊から構成されている場合には、情報表示処理部１４０は、それらの情報の塊と最大の表示桁数とを考慮して情報を分割してもよい。例えば、図４Ｂに示されるように、ＩＰアドレス“１９２．１６８．１．１”を表示させる場合に、上記ＩＰアドレスの情報を“１９２”、“１６８”、“１”、および“１”の４つの情報に分割し、夫々の分割情報に固有の分割番号１〜４を夫々付与してもよい。
【００３６】
次に、情報表示処理部１４０は、上記のように表示すべき情報を分割したら、分割情報１６とそれに対応する分割番号１７とを一つの表示情報１５として、分割番号に従って順番にセグメント表示部１０に与え、順番に表示させる。具体的には、情報表示処理部１４０は、操作ボタン１２から出力された操作検出信号に応じて、分割した情報を順次切り替えてセグメント表示部１０に表示させる。以下、分割情報の表示方法について、図５および６を用いて詳細に説明する。
【００３７】
図５は、分割情報と分割番号とを含む表示情報の一例を示す図である。
図６は、実施の形態１に係るセグメント表示装置による分割情報の表示の切り替わり手順を説明するための図である。
【００３８】
図５に示すように、例えば、表示すべき情報（ＩＰアドレス“１９２．１６８．１．１”）１４を、分割情報（“１９２”）１６＿１、分割情報（“１６８”）１６＿２、分割情報（“１”）１６＿３、および分割情報（“１”）１６＿４の４つに分割し、分割情報１６＿１〜１６＿４に分割番号１７＿１〜１７＿４を夫々付与した場合を考える。
【００３９】
この場合、情報表示処理部１４０は、初めに、分割情報（“１９２”）１６＿１と分割番号（“１”）１７＿１とを含む表示情報１５＿１をセグメント表示部１０に与え、表示させる。例えば、図６の参照符号ｔ１に示されるように、初めに分割情報“１９２”と分割番号“１”の２つの情報をセグメント表示部１０に与え、それらの情報を交互に切り替えて表示させる。より具体的には、最初に分割情報“１９２”を表示させ、所定時間（例えば１秒）が経過したら分割番号“１”を表示させ、その後、再び所定時間（例えば１秒）が経過したら分割情報“１９２”を表示させる、というように、所定時間が経過する毎に、分割情報１６＿１と分割番号１７＿１とを交互に切り替えて繰り返し表示させる。
【００４０】
なお、分割番号を表示させる際には、分割番号のみならず、分割番号と記号とを組み合わせて表示させてもよい。例えば、図６に示すように、分割番号“１”を表示する際に、表示領域１１Ａ、１１Ｂに記号“−（ハイフン）”を表示させ、表示領域１１Ｃに分割番号“１”を表示させてもよい。
【００４１】
次に、分割情報と分割番号とを交互に切り替えて繰り返し表示させている状態において、操作ボタン１２から操作検出信号が出力された場合には、情報表示処理部１４０は、表示すべき情報を、次の分割番号に対応する分割情報に切り替える。
例えば、図６の参照符号ｔ１の表示状態において操作ボタン１２が押されたら、情報表示処理部１４０は、次の分割番号“２”に対応する分割情報（“１６８”）１６＿２と、分割番号（“２”）１７＿２とを含む表示情報１５＿２をセグメント表示部１０に与え、表示させる。具体的には、図６において、表示状態ｔ１から表示状態ｔ２に移行し、表示状態ｔ１の場合と同様に、情報表示処理部１４０は、分割情報“１６８”と分割番号“２”とを所定時間毎に交互に切り替えて表示させる。例えば、最初に分割情報“１６８”を表示させ、所定時間（例えば１秒）の経過後に分割番号“２”を表示させ、その後更に所定時間（例えば１秒）が経過したら再び分割情報“１６８”を表示させる、というように、所定時間が経過する毎に、分割情報と分割番号とを交互に切り替えて繰り返し表示させる。
【００４２】
その後も上記と同様に、表示制御部１４は、操作ボタン１２が押される毎に、表示すべき分割情報および分割番号を切り替えてセグメント表示部１０に表示させる。
【００４３】
そして、最後の分割番号に対応する分割情報とその分割番号とを交互に表示させる表示状態において、操作ボタン１２が押された場合には、再び分割番号の先頭から順に、分割情報を表示させることを繰り返す。例えば、図６に示されるように、最後の分割番号“４”に対応する分割情報（“１”）１６＿４とその分割番号（“４”）１７＿４とを交互に表示する表示状態ｔ４において、操作ボタン１２が押されたら、先頭の分割番号（“１”）１６＿１に戻り、再び、分割番号“１”から順に、分割情報と分割番号の繰り返し表示を行わせる。
【００４４】
以上、本発明に係るセグメント表示装置によれば、表示すべき情報がセグメント表示部の表示桁数を超える情報量を有する場合に表示すべき情報を複数に分割し、分割した情報と、当該分割した情報に付与した分割番号とを交互に切り替えてセグメント表示部に表示させるので、ユーザは、セグメント表示されている情報が分割された情報であることを容易に把握することができる。また、分割番号を表示することにより、ユーザは、セグメント表示されている情報が何番目の分割情報であるかを容易に把握することができる。
すなわち、本発明に係るセグメント表示装置によれば、表示桁数を超える情報量を有する情報を表示する場合であっても、その情報をユーザに分かり易く提示することが可能となる。
【００４５】
また、本発明に係るセグメント表示装置によれば、１つの分割情報とそれに対応する分割番号とを交互に表示させる場合において、最初に分割情報を表示し、次に分割番号を表示させるので、ユーザは、操作ボタン１２を押すことにより、分割番号を表示させることなく分割情報を順番に読み取ることが可能となる。これにより、ユーザが知りたい情報を素早く表示させることが可能となるので、ユーザの利便性を高めることができる。
なお、上記セグメント表示装置において、最初に分割番号を表示し、次に分割情報を表示するようにしてもよい。これによれば、例えば、ユーザが知りたい情報（表示させたい情報）の分割番号を既に知っている場合に、目的とする情報を素早く表示させることが可能となる。
【００４６】
また、本発明に係るセグメント表示装置によれば、分割番号をセグメント表示部に表示させる場合において、分割番号のみならず、分割番号と記号を組み合わせて表示するので、ユーザは、セグメント表示されている情報が“分割された情報”なのか、単なる“分割番号”なのかを容易に把握することが可能となる。
【００４７】
≪実施の形態２≫
図７は、実施の形態２に係るセグメント表示装置の外観の一例を示す図である。
同図に示されるセグメント表示装置５は、２つの操作入力部を有する点において、実施の形態１に係るセグメント表示装置１と相違し、その他の点はセグメント表示装置１と同様である。なお、実施の形態２に係るセグメント表示装置５において、実施の形態１に係るセグメント表示装置１と同様の構成要素には同一の符号を付してその詳細な説明を省略する。
【００４８】
図７に示されるように、セグメント表示装置５は、操作入力部として操作ボタン１８を更に備える。操作ボタン１８は、操作ボタン１２と同様に、外部（ユーザ）からの押下操作の入力を検出し、操作検出信号を出力する。例えば、操作ボタン１２は、分割番号が増加する方向に対応しており、操作ボタン１８は、分割番号が減少する方向に対応している。
【００４９】
図８は、実施の形態２に係るセグメント表示装置５の内部構成を示す図である。
表示制御部２４は、情報表示処理部２４０と情報読出部１４１を備える。情報表示処理部２４０は、情報表示処理部１４０と同様に、情報読出部１４１によって記憶部１２から読み出された情報の情報量がセグメント表示部１０の表示桁数よりも多い場合に、読み出した情報を分割し、分割した情報を操作ボタン１２、１８の操作検出信号に対応する方向（分割番号の昇順または降順）に順番に切り替えてセグメント表示部１０に表示させる。
【００５０】
図９は、実施の形態２に係るセグメント表示装置において、分割情報の表示の切り替わり手順を説明するための図である。同図には、図４Ｂに示したＩＰアドレス“１９２．１６８．１．１”を分割して表示する場合が一例として示されている。
図９に示されるように、情報表示処理部２４０は、情報表示処理部１４０と同様に、操作ボタン１２が押される毎に、セグメント表示部１０に表示させる情報を、参照符号ｔ１、ｔ２、ｔ３、ｔ４、ｔ１、ｔ２、ｔ３・・・の順（分割番号の昇順）に切り替えて表示させる。
【００５１】
また、情報表示処理部２４０は、操作ボタン１３が押される毎に、セグメント表示部１０に表示させる情報を操作ボタン１２とは逆方向に切り替えて表示させる。すなわち、情報表示処理部２４０は、操作ボタン１３が押される毎に、参照符号ｔ１、ｔ４、ｔ３、ｔ２、ｔ１、ｔ４、ｔ３・・・の順（分割番号の降順）に、表示すべき分割情報および分割番号を切り替えて表示させる。
【００５２】
以上、実施の形態１に係るセグメント表示装置２によれば、実施の形態１に係るセグメント表示装置１と同様に、表示桁数を超える情報量を有する情報を表示する場合であっても、その情報をユーザに分かり易く提示することが可能となる。
また、実施の形態２に係るセグメント表示装置によれば、２つの操作入力部を有することにより、分割番号を進めて分割情報を表示させるだけでなく、分割番号を戻して分割情報を表示させることができるので、ユーザの利便性を更に高めることができる。例えば、表示すべき情報の文字列（数値列）が長い場合に、ユーザは文字列（数値列）の後方にある情報を素早く表示させることが可能となるので、知りたい情報が得られるまでの時間を短縮することができる。
【００５３】
以上、本発明者によってなされた発明を実施の形態に基づいて具体的に説明したが、本発明はそれに限定されるものではなく、その要旨を逸脱しない範囲において種々変更可能であることは言うまでもない。
【００５４】
例えば、上記実施の形態において、操作検出信号を生成する操作入力部として操作ボタン１２、１８を例示したが、これに限られず、タッチセンサやマウス等によって実現することも可能である。また、上記操作検出信号は、例えば、セグメント表示装置１、５を備えたサーバ２，３とは別の機器（例えば、監視用端末や携帯端末等）から有線または無線により入力されてもよい。
【００５５】
また、上記実施の形態において、本発明に係るセグメント表示装置が３桁の表示領域を有する場合を例示したが、これに限られない。例えば、表示領域が１桁であっても良いし、２桁、４桁等であってもよい。また、上記実施の形態において、セグメント表示装置が７セグメント表示である場合を例示したが、これに限られず、小数点の表示が可能な８セグメント表示や１４セグメント表示等であってもよい。
【００５６】
また、上記実施の形態において、分割番号と一緒に表示する記号として、“−（ハイフン）”を例示したが、これに限られず、セグメント表示が可能な記号であれば、別の記号（例えばアンダーバー等）であってもよい。
【００５７】
また、上記実施の形態において、分割番号を表示する際に、分割番号と記号とを組み合わせて表示する場合を例示したが、これに限られず、分割番号の表示のみを点滅させたり、分割番号を分割情報と異なる表示色で表示したりしてもよい。これによれば、分割番号と記号とを組み合わせて表示する場合と同様に、ユーザは、表示されている情報が“分割された情報”なのか、単なる“分割番号”なのかを容易に把握することが可能となる。
【００５８】
また、上記の実施の形態において、操作ボタン１２、１８を押すことによって、表示すべき分割情報を切り替える場合を例示したが、これに限られず、一定時間が経過する毎に、表示すべき分割情報が自動的に切り替わるようにしてもよい。例えば、図１０に示されるように、分割情報“１９２”と分割番号“１”とを一定時間Ｔ０毎に切り替えて表示している表示状態ｔ１において、所定時間Ｔ１（＞Ｔ０）が経過したら、情報表示処理部１４０（２１０）は、次の分割番号の表示状態、すなわち、分割情報“１６８”と分割番号“２”とを一定時間Ｔ０毎に切り替えて表示する表示状態ｔ１に移行させてもよい。これによれば、操作ボタン１２、１８への操作入力がなくても全ての分割情報を表示させることができる。
【００５９】
また、上記のように所定時間Ｔ１が経過する毎に分割情報を切り替える制御が行われている状態において、更に操作ボタン１２、１８が押された場合には、上述した実施の形態のように、次の（または一つ前の）分割番号に対応する分割情報を表示させるようにしてもよい。
【００６０】
また、上記実施の形態では、実施の形態１、２に係るセグメント表示装置をデータサーバや制御コントローラに適用する場合を例示したが、情報をセグメント表示させる必要がある装置や機器であれば、上記データサーバと同様に、実施の形態１、２に係るセグメント表示装置を適用することができる。
【符号の説明】
【００６１】
１、５…セグメント表示装置、２…データサーバ、３＿１〜３＿ｎ…制御コントローラ、４…ネットワーク、１０…セグメント表示部、１１…表示領域、１２、１８…操作ボタン、１３…記憶部、１４…表示制御部、１４０、２４０…情報表示処理部、１４１…情報読出部、１５、１５＿１〜１５＿４…表示情報、１６、１６＿１〜１６＿４…分割情報、１７、１７＿１〜１７＿４…分割番号。
【図１】
0006423684.tif 000002
【図２】
0006423684.tif 000003
【図３】
0006423684.tif 000004
【図４Ａ】
0006423684.tif 000005
【図４Ｂ】
0006423684.tif 000006
【図５】
0006423684.tif 000007
【図６】
0006423684.tif 000008
【図７】
0006423684.tif 000009
【図８】
0006423684.tif 000010
【図９】
0006423684.tif 000011
【図１０】
0006423684.tif 000012